(57)【要約】【課題】遮光性を有し、取扱い及び組立てが容易である感光性材料の収納箱を得る。【解決手段】感光性材料の収納箱１０は、平面展開可能に構成された中箱１２と、中箱１２の外面を覆って中箱１２に嵌合される外箱１４と、を備える。【選択図】図１
2018027805.tif 000002
【特許請求の範囲】
【請求項１】
平面展開可能に構成された中箱と、
前記中箱の外面を覆って前記中箱に嵌合される外箱と、
を備える感光性材料の収納箱。
【請求項２】
前記外箱は、前記中箱の下端部側に嵌合される外箱本体と、前記外箱本体より高さが低く、前記中箱の上端部側に嵌合される蓋部材と、によって構成されている、請求項１に記載の感光性材料の収納箱。
【請求項３】
前記外箱本体及び前記蓋部材は、それぞれ折畳み可能に構成されている、請求項２に記載の感光性材料の収納箱。
【請求項４】
前記外箱本体の下面及び前記蓋部材の上面の少なくとも一方は、前記外箱本体及び前記蓋部材の少なくとも一方の第１胴面に基端部が一体的に接続された第１構成片と、前記第１胴面に対向する第２胴面に基端部が一体的に接続され、前記第１構成片の先端部の下部に先端部が差込まれる第２構成片と、を有しており、
前記第２構成片の前記先端部は円弧形状とされている、
請求項３に記載の感光性材料の収納箱。
【請求項５】
前記中箱の上面には、前記中箱の側面及び胴面の少なくとも一方と前記上面との隙間を覆うフラップが設けられている、請求項２〜４のいずれか１項に記載の感光性材料の収納箱。
【請求項６】
前記フラップは、前記中箱の前記胴面と前記上面との隙間を覆う胴面フラップであり、
前記胴面フラップの前記上面からの垂下長さは、２０ｍｍ以上かつ前記蓋部材の高さ以下とされている、請求項５に記載の感光性材料の収納箱。
【請求項７】
前記フラップは、前記中箱の前記側面と前記上面との隙間を覆う上側面フラップであり、
前記上側面フラップは、先端部の幅が前記中箱の前記上面に一体的に接続する基端部の幅より小さくされている、請求項５に記載の感光性材料の収納箱。
【請求項８】
前記中箱の下面には、前記中箱の側面と前記下面との隙間を覆う下側面フラップが設けられており、
前記下側面フラップは、前記中箱の前記側面の幅と同じ幅とされている、
請求項２〜７のいずれか１項に記載の感光性材料の収納箱。
【請求項９】
前記蓋部材には、指掛かりとなる指掛部が形成されている、請求項２〜８のいずれか１項に記載の感光性材料の収納箱。
【請求項１０】
前記指掛部は貫通孔である、請求項９に記載の感光性材料の収納箱。
【発明の詳細な説明】
【技術分野】
【０００１】
本開示は、感光性材料の収納箱に関する。
【背景技術】
【０００２】
特許文献１には、開口部が設けられた容器本体と、１枚の段ボール紙を立体形状に組立てることにより構成され、容器本体の開口部に被せられる蓋と、を備える容器が開示されている。また、特許文献２には、１枚のブランク材を組み立てることにより構成された感光材料用の収納箱が開示されている。さらに、特許文献３には、インロウ部を有する内箱と、内箱の外面を覆う外箱と、内箱のインロウ部に嵌合される蓋体と、を備える感光材料用包装箱が開示されている。
【先行技術文献】
【特許文献】
【０００３】
【特許文献１】特開２００８−３７４２８号公報
【特許文献２】特開２００３−１５６８２０号公報
【特許文献３】特開平０８−３３４８６７号公報
【発明の概要】
【発明が解決しようとする課題】
【０００４】
特許文献１の容器は、蓋に形成された折返し片が容器本体に形成された舌片に係止されることにより、密封状態とされている。このため、容器内に収容された感光性材料等の収容物を取出し難く、取扱いが容易ではない。また、特許文献２では、感光材料を遮光防湿袋によって密封包装した状態で収納箱に収納する必要がある。このため、特許文献２において、収納箱のみでは遮光性を十分に確保することができない。
【０００５】
また、特許文献３の感光材料用包装箱では、例えばブランクを立体形状に組立てて接着剤等を用いて圧着固定することにより、内箱が形成されている。このため、内箱の組立て作業が煩雑となる。
【０００６】
本開示は、上記事実を考慮して、遮光性を有し、取扱い及び組立てが容易である感光性材料の収納箱を得ることを目的とする。
【課題を解決するための手段】
【０００７】
本開示の第１態様に係る感光性材料の収納箱は、平面展開可能に構成された中箱と、中箱の外面を覆って中箱に嵌合される外箱と、を備える。
【０００８】
上記態様によれば、収納箱が中箱と外箱の２重構造とされているため、遮光性を高めることができる。ここで、中箱は、例えば平面状のブランクを圧着せずに組立てる等の方法により、平面展開可能に構成されている。このため、中箱の組立てが容易であり、また、中箱から感光性材料を容易に取出すことができるため、取扱いが容易である。
【０００９】
本開示の第２態様に係る感光性材料の収納箱は、第１態様に係る感光性材料の収納箱において、外箱は、中箱の下端部側に嵌合される外箱本体と、外箱本体より高さが低く、中箱の上端部側に嵌合される蓋部材と、によって構成されている。
【００１０】
上記態様によれば、外箱が外箱本体と蓋部材とによって構成されているため、蓋部材を取外すことにより中箱から感光性材料を容易に取出すことができる。なお、本態様において、中箱の外箱本体が嵌合される一端部側を「下端部側」、中箱の蓋部材が嵌合される他端部側を「上端部側」とする。同様に、以下に記載の態様において、「下面」とは外箱本体側の面、「上面」とは蓋部材側の面を指す。
【００１１】
本開示の第３態様に係る感光性材料の収納箱は、第２態様に係る感光性材料の収納箱において、外箱本体及び蓋部材は、それぞれ折畳み可能に構成されている。
【００１２】
上記態様によれば、外箱本体と蓋部材が折畳み可能に構成されているため、外箱本体と蓋部材とが折畳み不可能とされている構成と比較して、保管スペース等を小さくすることができ、コストを削減することができる。
【００１３】
本開示の第４態様に係る感光性材料の収納箱は、第３態様に係る感光性材料の収納箱において、外箱本体の下面及び蓋部材の上面の少なくとも一方は、外箱本体及び蓋部材の少なくとも一方の第１胴面に基端部が一体的に接続された第１構成片と、第１胴面に対向する第２胴面に基端部が一体的に接続され、第１構成片の先端部の下部に先端部が差込まれる第２構成片と、を有しており、第２構成片の先端部は円弧形状とされている。
【００１４】
上記態様によれば、外箱本体の下面及び蓋部材の上面の少なくとも一方は、第１構成片及び第１構成片の先端部の下部に先端部が差込まれる第２構成片を有している。ここで、第２構成片の先端部が円弧形状とされているため、第１構成片の先端部の下部に第２構成片を容易に差込むことができ、組立てが容易となる。
【００１５】
本開示の第５態様に係る感光性材料の収納箱は、第２態様〜第４態様のいずれか１つの態様に係る感光性材料の収納箱において、中箱の上面には、中箱の側面及び胴面の少なくとも一方と上面との隙間を覆うフラップが設けられている。
【００１６】
上記態様によれば、中箱は平面展開可能に構成されているため、上面と側面や胴面との間に隙間が生じ易い。しかし、中箱の側面及び胴面の少なくとも一方と上面との隙間を覆うフラップが中箱の上面に設けられているため、蓋部材を取外した際に中箱の上面周囲の隙間から中箱内に光が入ることをフラップによって抑制することができる。
【００１７】
本開示の第６態様に係る感光性材料の収納箱は、第５態様に係る感光性材料の収納箱において、フラップは、中箱の胴面と上面との隙間を覆う胴面フラップであり、胴面フラップの上面からの垂下長さは、２０ｍｍ以上かつ蓋部材の高さ以下とされている。
【００１８】
上記態様によれば、中箱の胴面と上面との隙間を覆う胴面フラップの垂下長さが２０ｍｍ以上とされているため、蓋部材を取外した際に胴面フラップが捲上がって隙間から中箱内に光が入ることを抑制することができる。また、胴面フラップの垂下長さが蓋部材の高さ以下とされているため、胴面フラップと外箱本体とが干渉して蓋部材が取外し難くなることを、抑制することができる。
【００１９】
本開示の第７態様に係る感光性材料の収納箱は、第５態様に係る感光性材料の収納箱において、フラップは、中箱の側面と上面との隙間を覆う上側面フラップであり、上側面フラップは、先端部の幅が中箱の上面に一体的に接続する基端部の幅より小さくされている。
【００２０】
上記態様によれば、中箱の側面と上面との隙間を覆う上側面フラップの先端部の幅が基端部の幅より小さくされているため、蓋部材が上側面フラップの先端部に引掛かって蓋部材が取外し難くなることを、抑制することができる。
【００２１】
本開示の第８態様に係る感光性材料の収納箱は、第２態様〜第７態様の何れか１つの態様に係る感光性材料の収納箱において、中箱の下面には、中箱の側面と下面との隙間を覆う下側面フラップが設けられており、下側面フラップは、中箱の側面の幅と同じ幅とされている。
【００２２】
本態様によれば、中箱の側面と下面との隙間を覆う下側面フラップが中箱の側面の幅と同じ幅とされているため、外箱本体を中箱に嵌合させた際に下側面フラップが外箱本体の内面に引掛かり易くなる。このため、外箱本体から中箱が抜け出ることを抑制することができる。
【００２３】
本開示の第９態様に係る感光性材料の収納箱は、第２態様〜第８態様の何れか１つの態様に係る感光性材料の収納箱において、蓋部材には、指掛かりとなる指掛部が形成されている。
【００２４】
本態様によれば、蓋部材に指掛部が形成されているため、指掛部に指を引掛けることにより容易に蓋部材を取外すことができる。
【００２５】
本開示の第１０態様に係る感光性材料の収納箱は、第９態様に係る感光性材料の収納箱において、指掛部は貫通孔である。
【００２６】
本態様によれば、指掛部が貫通孔とされているため、指掛部が凸部等である構成と比較して、蓋部材の板厚を増やすことなく蓋部材に指掛部を形成することができる。
【発明の効果】
【００２７】
本開示によれば、遮光性を有し、取扱い及び組立てが容易である感光性材料の収納箱を得ることができる。
【図面の簡単な説明】
【００２８】
【図１】実施形態の一例における感光性材料の収納箱を示す斜視図である。
【図２】図１における蓋部材を取外した状態を示す斜視図である。
【図３】実施形態の一例における感光性材料の収納箱の中箱の組立てる前の状態を示す展開図である。
【図４】感光性材料の収納箱の中箱の組立てた後の状態を示す斜視図である。
【図５】実施形態の一例における感光性材料の収納箱の外箱本体の組立てる前の状態を示す展開図である。
【図６】感光性材料の収納箱の外箱本体の側面を圧着した状態を示す斜視図である。
【図７】感光性材料の収納箱の外箱本体の組み立てた後の状態を示す斜視図である。
【図８】実施形態の一例における感光性材料の収納箱の蓋部材の組立てる前の状態を示す展開図である。
【図９】感光性材料の収納箱の蓋部材の側面を圧着した状態を示す斜視図である。
【図１０】感光性材料の収納箱の蓋部材の組み立てた後の状態を示す斜視図である。
【発明を実施するための形態】
【００２９】
以下、本開示に係る感光性材料の収納箱の実施形態の一例について、図１〜図１０に沿って説明する。なお、以下、特に記載がない場合には、図中における上方向が収納箱における上方向、図中における下方向が収納箱における下方向とする。
【００３０】
（全体の構成）
本実施形態の収納箱１０は、厚紙や段ボール等の紙製とされており、例えば医療用や工業用のレントゲンフイルム等の感光性材料Ｋを収納する用途に用いられる。なお、感光性材料Ｋは、収納箱１０に直接収納されていてもよく、また、感光や湿度等の影響をより低減するために、遮光性や防湿性等を有する保護袋に包装された状態で収納箱１０に収納されていてもよい。
【００３１】
図１、図２に示すように、収納箱１０は、長方体形状の中箱１２と、中箱１２の外面を覆って中箱１２に嵌合される外箱１４と、を備えている。また、外箱１４は、中箱１２の下端部側に嵌合される外箱本体１６と、外箱本体１６より高さが低く、中箱１２の上端部側に嵌合される蓋部材１８と、によって構成されている。なお、収納箱１０はプラスチック製等とされていてもよく、蓋部材１８の高さは例えば１００ｍｍ程度とされている。
【００３２】
（中箱の構成）
中箱１２は、図３に示すように、１枚の平面状のブランク２０で構成されている。具体的には、ブランク２０は、長方形形状の第１胴面２２Ａ及び第２胴面２２Ｂと、第１胴面２２Ａ、第２胴面２２Ｂの長辺に沿って形成された３つの長方形形状の側面２４Ａ、２４Ｂ、２４Ｃと、第１胴面２２Ａの短辺に沿ってそれぞれ形成された長方形形状の上面２６Ａ及び下面２６Ｂと、を有している。
【００３３】
また、上面２６Ａの短辺には、それぞれ上側面フラップ２８の基端部２８Ａが一体的に接続されており、上面２６Ａの長辺には、上胴面フラップ３０の基端部３０Ａが一体的に接続されている。
【００３４】
ここで、上側面フラップ２８は、先端部２８Ｂの幅が基端部２８Ａの幅より小さくされており、上胴面フラップ３０側の側端部２８Ｃが基端部２８Ａから先端部２８Ｂへ向かって傾斜した略台形形状とされている。
【００３５】
なお、上胴面フラップ３０は略長方形形状とされており、上胴面フラップ３０の先端部３０Ｂから基端部３０Ａの長さ（垂下長さ）は、例えば２０ｍｍ以上、かつ、図１に示す蓋部材１８の高さ（例えば１００ｍｍ）以下とされている。
【００３６】
同様に、下面２６Ｂの短辺には、それぞれ下側面フラップ３２の基端部３２Ａが一体的に接続されており、下面２６Ｂの長辺には、下胴面フラップ３４の基端部３４Ａが一体的に接続されている。なお、下側面フラップ３２及び下胴面フラップ３４は、ともに略長方形形状とされており、下側面フラップ３２の幅は、中箱１２の側面２４Ａ、２４Ｂ、２４Ｃの幅と略同じか、もしくは僅かに（２ｍｍ程度）大きくされている。
【００３７】
中箱１２は、図４に示すように、側面２４Ａと側面２４Ｃとが重なるようにブランク２０を立体形状に組立てることによって形成されている。なお、中箱１２は接着剤等で圧着されておらず、平面展開可能とされている。
【００３８】
また、ブランク２０を組立てた際、上側面フラップ２８及び下側面フラップ３２は、側面２４Ａ（２４Ｃ）上及び側面２４Ｂ上にそれぞれ重なるように配置され、上胴面フラップ３０及び下胴面フラップ３４は第２胴面２２Ｂ上にそれぞれ重なるように配置される。
【００３９】
つまり、中箱１２の側面２４Ａ（２４Ｃ）、２４Ｂと上面２６Ａ、下面２６Ｂとの隙間、及び第２胴面２２Ｂと上面２６Ａ、下面２６Ｂとの隙間が、上側面フラップ２８、下側面フラップ３２、上胴面フラップ３０、及び下胴面フラップ３４によって、それぞれ覆われる。
【００４０】
（外箱本体の構成）
図５〜図７に外箱本体１６の構成を示す。なお、図５〜図７では、図中における上方向が外箱本体１６における下方向、図中における下方向が外箱本体１６における上方向となる。
【００４１】
外箱本体１６は、図５に示すように、１枚の平面状のブランク３６で構成されている。具体的には、ブランク３６は、長方形形状の第１胴面３８Ａ及び第２胴面３８Ｂと、第１胴面３８Ａ、第２胴面３８Ｂの長辺に沿って形成された２つの長方形形状の側面４０Ａ、４０Ｂ及び圧着代４２と、を有している。
【００４２】
また、第１胴面３８Ａの一方の短辺（図５における上端辺）には、第１構成片４４の基端部４４Ａが一体的に接続されている。第１構成片４４は略長方形形状とされており、先端部４４Ｂの両端に一対の係止突起４４Ｃが形成されている。
【００４３】
第２胴面３８Ｂの一方の短辺（図５における上端辺）には、第２構成片４６の基端部４６Ａが一体的に接続されている。なお、第２構成片４６の先端部４６Ｂは、円弧形状とされている。また、側面４０Ａ、４０Ｂの一方の短辺（図５における上端辺）には、第３構成片４８の基端部４８Ａがそれぞれ一体的に接続されている。
【００４４】
外箱本体１６は、図６に示すように、側面４０Ａと圧着代４２とを接着剤等により圧着することで、予め筒状に組立てられている。なお、この状態で、外箱本体１６は平面状に折畳み可能とされている。
【００４５】
そして、第１構成片４４の係止突起４４Ｃ上に第３構成片４８を重ね、第３構成片４８上に第２構成片４６を重ね、第１構成片４４の先端部４４Ｂの下部に第２構成片４６の先端部４６Ｂを差込むことにより、図７に示すように、第１構成片４４、第２構成片４６、及び第３構成片４８によって外箱本体１６の下面１６Ａが形成される。
【００４６】
（蓋部材の構成）
蓋部材１８は、図８に示すように、１枚の平面状のブランク５０で構成されている。具体的には、ブランク５０は、長方形形状の第１胴面５２Ａ及び第２胴面５２Ｂと、第１胴面５２Ａ、第２胴面５２Ｂの長辺に沿って形成された２つの長方形形状の側面５４Ａ、５４Ｂ及び圧着代５６と、を有している。
【００４７】
なお、第１胴面５２Ａ及び第２胴面５２Ｂには、指掛部の一例として、楕円形形状の貫通孔５８がそれぞれ形成されている。また、第１胴面５２Ａの一方の短辺（図８における上端辺）には、第１構成片６０の基端部６０Ａが一体的に接続されている。第１構成片６０は略長方形形状とされており、先端部６０Ｂの両端に一対の係止突起６０Ｃが形成されている。
【００４８】
第２胴面５２Ｂの一方の短辺（図８における上端辺）には、第２構成片６２の基端部６２Ａが一体的に接続されている。なお、第２構成片６２の先端部６２Ｂは、円弧形状とされている。また、側面５４Ａ、５４Ｂの一方の短辺（図８における上端辺）には、第３構成片６４の基端部６４Ａがそれぞれ一体的に接続されている。
【００４９】
蓋部材１８は、図９に示すように、側面５４Ａと圧着代５６とを接着剤等により圧着することで、予め筒状に組立てられている。なお、この状態で、蓋部材１８は平面状に折畳み可能とされている。
【００５０】
そして、第１構成片６０の係止突起６０Ｃ上に第３構成片６４を重ね、第３構成片６４上に第２構成片６２を重ね、第１構成片６０の先端部６０Ｂの下部に第２構成片６２の先端部６２Ｂを差込むことにより、図１０に示すように、第１構成片６０、第２構成片６２、及び第３構成片６４によって蓋部材１８の上面１８Ａが形成される。
【００５１】
（作用及び効果）
次に、本実施形態の作用及び効果について説明する。
【００５２】
本実施形態の収納箱１０は、手組みによって組立てられる。具体的には、図４に示すように、感光性材料Ｋを包むようにブランク２０を組み立てて中箱１２を形成する。また、ブランク３６、５０をそれぞれ組み立てて、図７、図１０に示す外箱本体１６及び蓋部材１８をそれぞれ形成する。
【００５３】
そして、図２に示すように、中箱１２の下端部側に外箱本体１６を嵌合し、中箱１２の上端部側に蓋部材１８を嵌合することで、収納箱１０によって図４に示す感光性材料Ｋを収納する。
【００５４】
なお、収納箱１０から感光性材料Ｋを取出す場合には、蓋部材１８を中箱１２から取外し、中箱１２の上面２６Ａを展開することで中箱１２の上端部を開口させ、中箱１２内から感光性材料Ｋを取出す。
【００５５】
ここで、本実施形態によれば、収納箱１０が中箱１２と外箱１４の２重構造とされている。このため、収納箱１０が２重構造とされていない構成と比較して遮光性を高めることができ、収納箱１０内に収納されている感光性材料Ｋのかぶりを抑制することができる。
【００５６】
また、外箱１４が外箱本体１６と蓋部材１８とによって構成されているため、外箱１４が１つの部材からなる構成と比較して、中箱１２から外箱１４を取外し易く、収納箱１０から感光性材料Ｋを容易に取出すことができる。
【００５７】
なお、外箱本体１６及び蓋部材１８は、図６、図９に示すように、予め筒状に組立てられており、折畳み可能に構成されている。このため、手組みによって下面１６Ａ及び上面１８Ａを形成することで、容易に外箱本体１６及び蓋部材１８を組立てることができる。また、外箱本体１６と蓋部材１８とが折畳み不可能とされている構成と比較して、保管スペース等を小さくすることができ、コストを削減することができる。
【００５８】
ここで、外箱本体１６の第２構成片４６の先端部４６Ｂ、及び蓋部材１８の第２構成片６２の先端部６２Ｂがそれぞれ円弧形状とされている。このため、第２構成片４６、６２の先端部４６Ｂ、６２Ｂが直線形状等とされている構成と比較して、外箱本体１６及び蓋部材１８の第１構成片４４、６０の先端部４４Ｂ、６０Ｂの下部に、第２構成片４６、６２の先端部４６Ｂ、６２Ｂを容易に差込むことができ、組立てが容易となる。
【００５９】
また、本実施形態によれば、蓋部材１８の第１胴面５２Ａ及び第２胴面５２Ｂに、指掛部としての貫通孔５８がそれぞれ形成されている。このため、貫通孔５８に指を引掛けることにより容易に蓋部材を取外すことができる。なお、指掛部が貫通孔５８とされているため、指掛部が凸部等である構成と比較して、蓋部材１８の板厚を増やすことなく蓋部材１８に指掛部を形成することができる。
【００６０】
また、本実施形態によれば、平面状のブランク２０を圧着することなく組立てることにより、中箱１２が平面展開可能に構成されている。このため、中箱１２の組立てが容易であり、かつ、中箱１２から感光性材料Ｋを容易に取出すことができるため、取扱いが容易である。
【００６１】
さらに、中箱１２に上側面フラップ２８、下側面フラップ３２、上胴面フラップ３０、及び下胴面フラップ３４が設けられており、各フラップ２８、３０、３２、３４によって、中箱１２の側面２４Ａ（２４Ｃ）、２４Ｂと上面２６Ａ、下面２６Ｂとの隙間、及び第２胴面２２Ｂと上面２６Ａ、下面２６Ｂとの隙間が、それぞれ覆われる。このため、外箱本体１６や蓋部材１８を取外した際に、中箱１２内に光が入ることを各フラップ２８、３０、３２、３４によって抑制することができる。
【００６２】
ここで、本実施形態によれば、上胴面フラップ３０の先端部３０Ｂから基端部３０Ａの長さ（垂下長さ）が２０ｍｍ以上とされているため、蓋部材１８を取外した際に上胴面フラップ３０が捲上がって隙間から中箱１２内に光が入ることを抑制することができる。また、上胴面フラップ３０の垂下長さが蓋部材１８の高さ以下とされているため、上胴面フラップ３０と外箱本体１６とが干渉して蓋部材１８が取外し難くなることを、抑制することができる。
【００６３】
また、本実施形態によれば、上側面フラップ２８の先端部２８Ｂの幅が基端部２８Ａの幅より小さくされており、上胴面フラップ３０側の側端部２８Ｃが基端部２８Ａから先端部２８Ｂへ向かって傾斜している。このため、図２に示すように、蓋部材１８を中箱１２から取外す際に上側面フラップ２８が浮上がった場合であっても、上側面フラップ２８に引掛かって蓋部材１８が取外し難くなることを、抑制することができる。
【００６４】
一方、本実施形態によれば、下側面フラップ３２の幅が、中箱１２の側面２４Ａ、２４Ｂ、２４Ｃの幅と略同じか、僅かに大きくされている。このため、外箱本体１６を中箱１２に嵌合させた際に下側面フラップ３２が外箱本体１６の内面に引掛かり易くなり、外箱本体１６から中箱１２が抜け出ることを抑制することができる。
【００６５】
（その他の実施形態）
なお、本開示について実施形態の一例を説明したが、本開示はかかる実施形態に限定されるものではなく、本開示の範囲内にて他の種々の実施形態が可能である。
【００６６】
例えば、上記実施形態では、外箱１４が折畳み可能な外箱本体１６と蓋部材１８とによって構成されていたが、外箱１４は外箱本体と蓋部材とが一体となった１つの部材で構成されていてもよい。また、外箱本体１６及び蓋部材１８は、予め立体形状の箱状に形成された折畳み不可能な構成とされていてもよい。
【００６７】
また、上記実施形態では、感光性材料Ｋを収納箱１０の中箱１２に直接収納し、中箱１２内から感光性材料Ｋを直接取出していた。しかし、感光性材料Ｋを保護袋で包装した状態で収納箱１０の中箱１２に収納し、中箱１２内から保護袋ごと感光性材料Ｋを取出す構成としてもよい。
【００６８】
また、図３に示すブランク２０の形状は一例であり、中箱１２はどのように平面展開可能とされていてもよい。なお、中箱１２の隙間を覆うことができる構成であれば、各フラップ２８、３０、３２、３４の位置や形状も上記実施形態には限られない。例えば、上側面フラップ２８は、両方の側端部２８Ｃが基端部２８Ａから先端部２８Ｂへ向かって同じ角度で傾斜する等脚台形形状とされていてもよい。同様に、図５、図８に示すブランク３６、５０の形状も一例である。
【００６９】
また、蓋部材１８の指掛部も貫通孔５８には限られず、蓋部材１８に凹部や凸部等を設けることにより、指掛部を形成してもよい。さらに、貫通孔５８の位置や形状等も上記実施形態には限られない。
【実施例】
【００７０】
以下、本開示の実施例１〜８、及び比較例１について具体的に説明する。なお、実施例及び比較例では、遮光性、手組性、取扱性の３項目について収納箱の性能を評価した。評価結果を下記の表１に示す。
【００７１】
【表１】
2018027805.tif 000003
【００７２】
遮光性については、側面、胴面、上面の計３箇所を蛍光灯下で３０分ずつ照射させて感光性材料のかぶりの確認を行う。かぶり無しの場合をＡ、かぶり部分が２０ｍｍ以内の場合をＢ、かぶり部分が２０ｍｍ以上１００ｍｍ以下の場合をＣ、かぶり部分が１００ｍｍ以上の場合をＤとし、評価Ａ及び評価Ｂを製品として許容できる範囲とした。
【００７３】
手組性については、収納箱を手組みで組立てる作業時間を測定する。作業時間が２分以内をＡ、作業時間が２分以上３分以内をＢ、作業時間が３分以上をＣ、手組み不可能な場合をＤとし、評価Ａ、評価Ｂ及び評価Ｃを製品として許容できる範囲とした。
【００７４】
取扱性については、スムーズに感光性材料を収納箱から取出すことができる場合をＡ、手間がかかるが感光性材料を収納箱から取出すことができる場合をＢ、解体しないと感光性材料を収納箱から取出すことができない場合をＣとし、評価Ａ及び評価Ｂを製品として許容できる範囲とした。
【００７５】
（実施例１）
実施例１では、上記実施形態と同様の構成の収納箱を形成した。具体的には、中箱に接着部分がなく、上胴面フラップの垂下長さが３０ｍｍとされ、上側面フラップの側端部が傾斜し、下側面フラップが中箱の側面の幅と略同じ幅（直線状）とされている。また、外箱本体及び蓋部材の第２構成片の先端部がそれぞれ円弧形状とされており、蓋部材に指掛部としての貫通孔が形成されている。
【００７６】
図５からも分かるように、実施例１の収納箱では、感光性材料のかぶりが無く、２分以内に収納箱を手組みすることができ、スムーズに蓋部材を取外して感光性材料を収納箱から取出すことができた。
【００７７】
（実施例２）
実施例２では、外箱本体及び蓋部材の第２構成片の先端部の形状が直線形状とされた収納箱を形成した。なお、実施例２において、その他の条件は実施例１と同一の条件とした。図５からも分かるように、実施例２の収納箱では、遮光性及び取扱性は実施例１と同様の結果となったが、収納箱を手組みするのに３分以上かかった。
【００７８】
（実施例３）
実施例３では、上胴面フラップの垂下長さが１０ｍｍとされた収納箱を形成した。なお、実施例３において、その他の条件は実施例１と同一の条件とした。図５からも分かるように、実施例３の収納箱では、手組性及び取扱性は実施例１と同様の結果となったが、２０ｍｍ以内のかぶり部分が生じた。
【００７９】
（実施例４）
実施例４では、上側面フラップが中箱の側面の幅と略同じ幅（直線状）とされた収納箱を形成した。なお、実施例４において、その他の条件は実施例１と同一の条件とした。図５からも分かるように、実施例２の収納箱では、遮光性及び取扱性は実施例１と同様の結果となったが、実施例１と比較して、蓋部材を取外すのに手間がかかった。
【００８０】
（実施例５）
実施例５では、上胴面フラップの垂下長さが蓋部材の高さより大きくされた収納箱を形成した。なお、実施例５において、その他の条件は実施例１と同一の条件とした。図５からも分かるように、実施例５の収納箱では、遮光性及び取扱性は実施例１と同様の結果となったが、実施例１と比較して、上胴面フラップが長いため蓋部材を取外すのに手間がかかった。
【００８１】
（実施例６）
実施例６では、外箱本体側のみ第２構成片の先端部の形状が直線形状とされた収納箱を形成した。なお、実施例６において、その他の条件は実施例１と同一の条件とした。図５からも分かるように、実施例６の収納箱では、遮光性及び取扱性は実施例１と同様の結果となったが、収納箱を手組みするのに２分以上かかった。
【００８２】
（実施例７）
実施例７では、下側面フラップの側端部が上側面フラップのように傾斜された収納箱を形成した。なお、実施例７において、その他の条件は実施例１と同一の条件とした。図５からも分かるように、実施例７の収納箱では、遮光性及び手組性は実施例１と同様の結果となったが、蓋部材を取外す際に外箱本体側が中箱から抜けてしまい、実施例１と比較して、蓋部材を取外すのに手間がかかった。
【００８３】
（実施例８）
実施例８では、蓋部材に指掛部が形成されていない収納箱を形成した。なお、実施例８において、その他の条件は実施例１と同一の条件とした。図５からも分かるように、実施例８の収納箱では、遮光性及び手組性は実施例１と同様の結果となったが、実施例１と比較して、蓋部材を取外すのに手間がかかった。
【００８４】
（比較例１）
比較例１では、中箱、外箱本体、及び蓋部材が立体形状の箱状に組立てられ、接着剤等によって圧着固定されている従来の収納箱を形成した。図５からも分かるように、比較例１の収納箱では、２０ｍｍ以内のかぶり部分が生じ、かつ、感光性材料をスムーズに収納箱から取出すことができなかった。また、収納箱が予め接着剤等によって固定されて箱状に形成されているため、手組みが不可能であった。
【符号の説明】
【００８５】
１０                        収納箱
１２                        中箱
１４                        外箱
１６                        外箱本体
１６Ａ                      下面
１８                        蓋部材
１８Ａ                      上面
２０                        ブランク
２２Ａ                      第１胴面
２２Ｂ                      第２胴面
２４Ａ、２４Ｂ、２４Ｃ      側面
２６Ａ                      上面
２６Ｂ                      下面
２８                        上側面フラップ
２８Ａ                      基端部
２８Ｂ                      先端部
２８Ｃ                      側端部
３０                        上胴面フラップ
３０Ａ                      基端部
３０Ｂ                      先端部
３２                        下側面フラップ
３２Ａ                      基端部
３４                        下胴面フラップ
３４Ａ                      基端部
３６                        ブランク
３８Ａ                      第１胴面
３８Ｂ                      第２胴面
４０Ａ、４０Ｂ              側面
４２                        圧着代
４４                        第１構成片
４４Ａ                      基端部
４４Ｂ                      先端部
４４Ｃ                      係止突起
４６                        第２構成片
４６Ａ                      基端部
４６Ｂ                      先端部
４８                        第３構成片
４８Ａ                      基端部
５０                        ブランク
５２Ａ                      第１胴面
５２Ｂ                      第２胴面
５４Ａ、５４Ｂ              側面
５６                        圧着代
５８                        貫通孔
６０                        第１構成片
６０Ａ                      基端部
６０Ｂ                      先端部
６０Ｃ                      係止突起
６２                        第２構成片
６２Ａ                      基端部
６２Ｂ                      先端部
６４                        第３構成片
６４Ａ                      基端部
Ｋ                          感光性材料
【図１】
2018027805.tif 000004
【図２】
2018027805.tif 000005
【図３】
2018027805.tif 000006
【図４】
2018027805.tif 000007
【図５】
2018027805.tif 000008
【図６】
2018027805.tif 000009
【図７】
2018027805.tif 000010
【図８】
2018027805.tif 000011
【図９】
2018027805.tif 000012
【図１０】
2018027805.tif 000013